(57)【要約】      （修正有）【課題】数字キーボードを使用して、効率的で操作の簡単な文字入力方法とその文字入力方法を備えた電子機器を提供する。【解決手段】数字キーの２回の打鍵で、仮名文字とアルファベット２６文字を入力する方式において、数字キーのキートップへの適切な表示と各キーへの文字割当て表を適切に行って、キートップを見ながら、文字割当て表を暗記しなくても文字入力をできるようにする。【選択図】図１
2006081137.tif 000002
【特許請求の範囲】
【請求項１】
キーボードを備えた電子機器において、１から０の１０進数を入力する１０個の数字キーを有するキーボードを備えて、アルファベット順に１個のキーに３文字あるいは４文字のアルファベットを重複して割り当て、最初の打鍵では前記のアルファベット順に割り当てられた３文字あるいは４文字を選択するキーを打鍵し、続いての打鍵では該キーに割り当てられた３文字あるいは４文字のうちのアルファベットの昇順を指定する数字キーを選択的に打鍵することによりアルファベット２６文字を入力する手段を備えたことを特徴とするキーボードを備えた電子機器。
【請求項２】
キーボードを備えた電子機器において、１から０の１０進数を入力する１０個の数字キーを有するキーボードを備えて、数字キーの１から０の１０個のキーのキートップには仮名５０音図の各行を表す「あ」から「わ」を表示し、数字キーの１から５の５個のキーのキートップあるいはその周辺部には、さらに加えて５０音図の各段を表す表示を行い、最初の打鍵でキートップの表示に従って５０音図の各行を選択する数字キーを打鍵し、続けての打鍵で前記の選択された打鍵での５０音図の各行の中の５文字のうちの各段の文字を前記のキートップの表示に従って、選択的に打鍵することにより仮名文字を入力する手段を有すること及び、前記「あ」から「わ」の表示に加えて、アルファベット順に１個のキーに３文字あるいは４文字のアルファベットを重複して割り当てた表示を数字キーのキートップの表示に加え、アルファベット順に１個のキーに３文字あるいは４文字のアルファベットを重複して割り当て、最初の打鍵では前記のアルファベット順に割り当てられた３文字あるいは４文字を選択するキーを打鍵し、続いての打鍵では該キーに割り当てられた３文字あるいは４文字のうちのアルファベットの昇順を指定する数字キーを選択的に打鍵することによりアルファベット２６文字を入力する手段を備えたことを特徴とするキーボードを備えた電子機器。
【請求項３】
アルファベット順に割り当てられた３文字あるいは４文字のアルファベットを数字キーのキートップに表示し、アルファベットの昇順を指定する４つの表示を１０個の数字キーのうちの４個のキーあるいはその周辺部にそれぞれ表示することを特徴とする請求項１あるいは請求項２に記載のキーボードを備えた電子機器。
【請求項４】
キーボードを備えた電子機器において、１から０の１０進数を入力する１０個の数字キーと１個の制御キーを有するキーボードを備えて、連続する２回の数字キーの打鍵で仮名文字を入力する手段を備え、直前に入力された仮名文字が濁点あるいは半濁点を伴うことが許される文字である場合には前記制御キーの打鍵で濁点あるいは半濁点を入力する手段を備えたことを特徴とする請求項３記載のキーボードを備えた電子機器。
【請求項５】
キーボードを備えた電子機器において、１から０の１０進数を入力する１０個の数字キーと１個の制御キーを有するキーボードを備えて、連続する２回の数字キーの打鍵で仮名文字およびアルファベット２６文字を入力する手段を備え、前記の制御キーの一回の打鍵で上段／下段の入力モードを切り換え、連続する２回の打鍵で、半角／全角の入力モードを切り換える手段を有することを特徴とする請求項３記載のキーボードを備えた電子機器。
【発明の詳細な説明】
【技術分野】  本発明は、キーボードを備えた電子機器に関し、特に、文字入力を行うキーボードを備えた電子機器に関する。
【背景技術】
【０００１】  携帯電話機の文字入力は、数字キーボードを用いて行われる。このときの文字入力の方式として、１０個の数字キーを２回連続打鍵することにより、文字を入力する２タッチ入力方式がある。この方法により仮名文字、数字、英字、記号など１００種類までの文字種を入力することができる。さらに仮名文字には平仮名とカタカナがあり、英字には大文字と小文字がある。これを区別するために、全角／半角の区別、上段／下段シフトモードの入力モードを設ける。このことにより、１０キーからなる数字キーと若干の制御キーで、平仮名／カタカナ、大文字／小文字の英字、数字、多くの記号を入力できる。【０００２】  図４は現状の携帯電話機のキーボードの模式図とキートップの刻印表示である。キーボード４００は、数字キー４０１から４１０の１０キーと制御キー＊１１１と制御キー＃１１２とからなる。図５は現状の携帯電話機のキーボードの文字割り当て表（全角入力モード）である。図６は現状の携帯電話機のキーボードの文字割り当て表（半角入力モード）である。【０００３】  例えば全角入力モードにおいて、図４のキー４０２を打鍵し、続いてキー４０３を打鍵すると平仮名「く」が入力される。同じく、図４のキー４０２を打鍵し、続いてキー４０７を打鍵すると英字「Ｇ」が入力される。同じく、例えば半角入力モードにおいて、図４のキー４０２を打鍵し、続いてキー４０３を打鍵するとカタカナ「ク」が入力される。同じく、図４のキー４０２を打鍵し、続いてキー４０７を打鍵すると英字「Ｇ」が入力される。このとき、下段入力（小文字）モードの場合は、図５あるいは図６の各升の下段に表示されている小文字が入力される。
【発明の開示】
【発明が解決しようとする課題】
【０００４】  図４の各キーのキートップの表示は、携帯電話機のもう一つの文字入力方式である５タッチ入力方式に都合のよいように表示されている。５タッチ入力方式は現状の２タッチキーボードに較べて、覚えるのが簡単であるが入力効率が低い（１字あたりの平均打鍵数が多い）。一方、現状２タッチ入力方式は５タッチキーボードに較べて、覚えるのが難しいが入力効率が高い（１字あたりの平均打鍵数が少ない）。【０００５】  ５タッチ入力方式では、図４のキートップの表示を見ながら、簡単な規則で仮名文字や英字の入力をすることができる。一方、現状の２タッチ方式では、図４のキートップには適切な表示がされていないので、図５あるいは図６の文字割り当て表を暗記して入力しなければならない。【０００６】  文字割り当て表を暗記しないでも、適切なキートップ表示を見ながら、入力効率の高い２タッチ方式で文字入力ができることが課題である。
【問題を解決するための手段】
【０００７】キーボードを備えた電子機器では、１から０の１０進数を入力する１０個の数字キーを有するキーボードを備えており、この数字キーを使用して、連続する２回の数字キーの打鍵でアルファベット２６文字を入力する手段を備えていて、アルファベット２６文字は数字キー１０個に割り当てきれないので、アルファベット順に文字を並べて、１個のキーに３文字あるいは４文字のアルファベットを重複して割り当て、キーボードの数字キーの２回打鍵でアルファベット２６文字を入力することとし、、最初の打鍵では前記のアルファベット順に割り当てられた３文字あるいは４文字を選択するキーを打鍵し、続いての打鍵では選択されたキーに割り当てられた３文字あるいは４文字のうちのどの文字であるかを選択するために、該文字のうちでのアルファベットの昇順を指定するあらかじめ定められた４つの数字キーを選択的に打鍵することによりアルファベット２６文字を入力するように構成する。
【０００８】キーボードを備えた電子機器において、１から０の１０進数を入力する１０個の数字キーを有するキーボードを備え、連続する２回の数字キーの打鍵で仮名文字とアルファベット２６文字を入力する手段を備えて、数字キーの１から０の１０個のキーのキートップには仮名５０音図の各行を表す「あ」から「わ」を表示し、数字キーの１から５の５個のキーのキートップには、さらに加えて５０音図の各段を表す表示を行い、最初の打鍵でキートップの表示に従って５０音図の各行を選択する数字キーを打鍵し、続けての打鍵で前記の選択された打鍵での５０音図の各行の中の５文字のうちの各段の文字を前記のキートップの表示に従って、選択的に打鍵することにより仮名文字を入力するように構成すること、及び、前記「あ」から「わ」の表示に加えて、アルファベット順に１個のキーに３文字あるいは４文字のアルファベットを重複して割り当てた表示を数字キーのキートップの表示に加え、キーボードの数字キーの２回の打鍵でアルファベット２６文字を入力する手段を備え、最初の打鍵では前記のアルファベット順に割り当てられた３文字あるいは４文字を選択するキーを打鍵し、続いての打鍵では選択されたキーに割り当てられた３文字あるいは４文字のうちのどの文字であるかを選択するために、該文字のうちでのアルファベットの昇順を指定するあらかじめ定められた４つの数字キーを選択的に打鍵することによりアルファベット２６文字を入力するように構成する。
【０００９】キーボードを備えた電子機器において、１から０の１０進数を入力する１０個の数字キーと１個の制御キーを有するキーボードを備えて、連続する２回の数字キーの打鍵で仮名文字を入力するようにして、直前に入力された仮名文字が濁点あるいは半濁点を伴うことが許される文字である場合には前記制御キーの打鍵で濁点あるいは半濁点を入力するように構成してもよい。
【００１０】アルファベットの昇順に割り当てられた３文字あるいは４文字のアルファベットを数字キーのキートップに表示し、アルファベットの昇順を指定する４つの表示を１０個の数字キーのうちの４個のキーにそれぞれ表示することとして、操作者がキートップの表示を見ながら、容易にアルファベット２６文字を入力できるように構成してもよい。
【００１１】キーボードを備えた電子機器において、１から０の１０進数を入力する１０個の数字キーと１個の制御キーを有するキーボードを備えて、連続する２回の数字キーの打鍵で仮名文字およびアルファベット２６文字を入力するようにして、前記の制御キーの一回の打鍵で上段／下段の入力モードを切り換え、連続する２回の打鍵で、半角／全角の入力モードを切り換えるように構成してもよい。
【発明の効果】
【００１２】本発明の第１の効果は、文字割り当て表を暗記しないでもキーボードによる文字入力を入力効率の高い２タッチ入力方式で行うことができる。
本発明の第２の効果は、携帯電話機で普及している５タッチ入力方式に都合のよいキートップ表示を含んでいるので、５タッチ入力方式との共存が容易であることである。
本発明の第３の効果は、５タッチ入力方式と同じ方法ででも仮名の濁点や記号の入力を行うことができることである。
本発明の第４の効果は、半角／全角入力モードや上段下段の入力モードの切替が簡単に効率よくできることである。
【発明を実施するための最良の形態】
【００１３】次に、本発明の実施の形態について図面を参照して説明する。  図１は本発明の実施の形態のキーボード１００の模式図である。
キーボード１００は数字キー１０１から１１０の１０個のキーと制御キー＊１１１と制御キー＃１１２とからなる。それぞれのキーのキートップには図１の各升目に表示されている。例えば、キー１０２のキートップには数字「２」と平仮名「か」とローマ数字ＩＩと英字ＡＢＣが表示されている。【００１４】  図２は本発明による２タッチ入力方式における全角入力モードでの文字割当て表である。図２の割り当て表によると、例えば、数字キー１０２を打鍵し、続いて数字キー１０３を打鍵すると平仮名「く」が入力されることを表す。同じく、例えば、数字キー１０２を打鍵し、続いて数字キー１０８を打鍵すると英字「Ｂ」が入力されることを表す。
このときの操作法として、操作者は図１のキートップを見ながら、簡単な規則により、平仮名あるいは英字の入力をすることができる。【００１５】  例えば、平仮名「く」を入力する場合に、操作者は「く」が仮名５０音図の「か」行に属するので、平仮名「か」が表示されいる数字「２」キー１０２を打鍵する。平仮名「く」は仮名５０音図で３段目の文字であるので、ローマ数字ＩＩＩが表示されいる数字「３」キー１０３を打鍵する。図２の文字割当て表によれば、最初の打鍵が数字「２」キーであり、続いての打鍵が数字「３」キーである場合には、平仮名「く」が入力される。【００１６】  同じく、英字「Ｂ」を入力する場合に、まず、操作者は「ＡＢＣ」が表示されている数字「２」キー１０２を打鍵する。続いて、英字「Ｂ」は「ＡＢＣ」と表示さている左から２番目の文字であるので、丸数字で▲２▼と表示されている図１の数字キー１０７を打鍵する。図２の文字割当て表によれば、最初の打鍵が数字「２」キーであり、続いての打鍵が数字「７」キーである場合には、英字「Ｂ」が入力される。【００１７】  同じく、数字「２」を入力する場合に、まず、操作者は数字「２」が表示されている数字「２」キー１０２を打鍵する。続いて、数字を意味するｎｕｍｅｒｉｃの頭文字「ｎ」が表示図１の数字キー１０６を打鍵する。図２の文字割当て表によれば、最初の打鍵が数字「２」キーであり、続いての打鍵が数字「６」キーである場合には、数字「２」が入力される。
記号についても図２あるいは図３の文字割当て表に従って、入力することができるが、キートップ表示が複雑になるので、図１のキートップ表示では省略されているが、キートップの傾斜面などその周辺部に表示してもよい。【００１８】  以上で全角モードでの入力の場合を説明したが、半角モードでの入力も同様である。半角の場合は、図３の文字割り当て表が使用され、仮名はカタカナが入力される。
また、以上で上段モードでの入力を説明したが、下段の入力モードの場合は、仮名では小文字の仮名（「や」など）、英字では小文字の英字が入力される。【００１９】  次に、図１の制御キー＊１１１の機能について、説明する。制御キー＊１１１を１回打鍵すると上段シフトと下段シフトの入力モードが切り替わる。即ち、この機能によって、仮名入力の場合は、仮名の小文字を入力することができる。英字の場合は英字の小文字と大文字を切り替えて入力できる。（因みに、図５と図６の従来の文字割当て表によれば、この機能は最初の打鍵が数字「８」キーであり、続いての打鍵が数字「０」キーで行っている。）【００２０】  さらに、図１の制御キー＊１１１を連続して２回打鍵する（間に他のキーの打鍵を入れないで）と上段／下段のシフトモードは元に戻るが、同時に半角／全角の入力モードが切り替わる。【００２１】  次に、制御キー＃１１２の機能について説明する。仮名の濁点／半濁点については、従来の方法と同じく、最初の打鍵が数字「０」キー１１０、続いての打鍵が数字「４」キー１１４あるいは数字「５」キー１１５により、濁点あるいは半濁点を入力することができる。しかし、このことの表示は、図１のキートップには煩雑を避けて省略されている。その代わりに、制御キー＃１１２の打鍵で濁点／半濁点が入力される。即ち、直前に入力された文字が濁点を伴うことができる仮名（例えば「た」）の場合に、制御キー＃１１２を打鍵すると濁点が入力される。さらに連続して制御キー＃１１２を打鍵すると濁点の代わりに半濁点が入力される。さらに、連続して制御キー＃１１２を打鍵すると「長音ー」「読点、」「句点。」「中点・」「感嘆詞！」「疑問詞？」が順序に入力される。これらの方法は、従来の５タッチ入力方式と同じであり、図１の制御キー＃１１２のキートップの表示は、図４の制御キー＃４１２のキートップと同じものが表示されている。記号の全ては表示されていないが、濁点／半濁点と記号の一部が表示されているので図１のキートップの表示を見ながら、暗記をしないでも濁点／半濁点および主な記号を入力することができる。なお、キートップでの表示が省略された記号については、記号表を手元に置くか、暗記をして入力する必要がある。【００２２】  つぎに、本発明による２タッチ入力方式と携帯電話機で主に使用されている５タッチ入力方式との共存について説明する。５タッチ入力方式は図４のキーボードのキー配置とキートップの表示で使用されている。本発明のキーボード図１のキートップ表示は図４のキートップ表示にローマ数字ＩＩ  ＩＩＩ  ＩＶ  Ｖと丸数字▲１▼▲２▼▲３▼▲４▼とｎｕｍｅｒｉｃの頭文字ｎがそれぞれキートップの空きスペースに付け加えられただけであるので、図４のように表示されたキートップのキーボードを５タッチ入力方式でも使用することができる。このことによって従来通り５タッチ入力方式に馴染みのある人は５タッチ入力を使いながら、文字割当て表を暗記しなくても効率のよい２タッチ入力方式に移行していくことができる。【００２３】  ここで、従来の２タッチ入力方式と本発明による２タッチ方式の違いについてまとめて説明しておく。
仮名の入力方法については、文字割当て表が同じである。違いは、図１にはキートップの表示の仮名５０音図の各段を表すローマ数字Ｉ  ＩＩ  ＩＩＩ  ＩＶ  Ｖが追加されている。濁音／半濁音の入力方法は、従来の方法と同じ方法ででも入力できるが、さらに従来の５タッチ入力方式と同じ方法ででも入力できる。記号の入力については、従来の２タッチ入力方式と同じように入力することもできるがより簡単な方法である５タッチ入力方式の方法ででも入力できる。これらのことにより、操作法を暗記しなくてもキートップを見ながら仮名を入力することができる。【００２４】  英字の入力法については、文字割当て表が異なる。図１の英字のキートップ表示（５タッチの英字のキー配置に合わせて）に合わせて、図２あるいは図３の文字割当て表が作られている。英字の最初のキー打鍵を図１の英字のキートップ表示に従って選択し、続いての打鍵を図１の丸数字▲１▼▲２▼▲３▼▲４▼をキートップ表示された文字の左からの順序位置に従って選択する。このことによって、図２あるいは図３の文字割り当て表を暗記しなくても図１のキートップの表示を見ながら、簡単な規則で英字の入力をすることができる。
上段／下段のあるいは半角／全角入力モードの切替は制御キー＊１１１を使用して簡単に行うことができる。【００２５】  以上の本発明の実施の形態の説明において、図１のキーボードのキートップの表示において、ローマ数字Ｉ  ＩＩ  ＩＩＩ  ＩＶ  Ｖおよび丸数字▲１▼▲２▼▲３▼▲４▼およびｎｕｍｅｒｉｃの頭文字ｎを行っているが状況によっては、これらの表示をしないで、これらの表示を暗記するか別途表示メモを手元において操作することも可能である。この場合も従来のように図５あるいは図６の文字割当て表を暗記するか手元にメモをおいて操作するのに較べればはるかに容易な操作である。【００２６】  以上の本発明の実施の形態において示された、キートップの具体的な表示文字や文字割当て表の具体例については、これらに限らず他の表示方法や文字割当て表の他の方法が考えられる。
また、本発明によるキーボードを備えた電子機器としては、携帯電話機に限らず携帯性あるいは簡便性を必要とし、文字入力を行う多くの電子機器を想定できる。
【図面の簡単な説明】［図１］
本発明によるキーボードのキー配列図である。
［図２］
本発明による２タッチ入力方式の文字割当て表（全角入力の場合）である。
［図３］
本発明による２タッチ入力方式の文字割当て表（半角入力の場合）である。
［図４］
従来の携帯電話機のキーボードのキー配列図である。
［図５］
従来の携帯電話機の２タッチ入力方式の文字割当て表（全角入力の場合）である。
［図６］
従来の携帯電話機の２タッチ入力方式の文字割当て表（半角入力の場合）である。
【符号の説明】
１００            本発明のキーボード
１０１            キーボードの        〔１  あＩ〕              キー
１０２                〃              〔２  かＩＩ  ＡＢＣ］    キー
１０３                〃              〔３  さＩＩＩ  ＤＥＦ〕  キー
１０４                〃              〔４  たＩＶ  ＧＨＩ〕    キー
１０５                〃              〔５  なＶ  ＪＫＬ〕      キー
１０６                〃              〔６  はｎ  ＭＮＯ〕      キー
１０７                〃              〔７  ま▲１▼  ＰＱＲＳ〕キー
１０８                〃              〔８  や▲２▼  ＴＵＶ〕  キー
１０９                〃              〔９  ら▲３▼  ＷＸＹＺ〕キー
１１０                〃              〔０  わ▲４▼〕          キー
１１１                〃              制御キー［＊  モード］    キー
１１２                〃              制御キー［＃″−ｏ］      キー
４００            従来の携帯電話機のキーボード
４０１            従来の携帯電話機のキーボードの      ［１  あ］          キー
４０２                      〃                        ［２  か  ＡＢＣ］  キー
４０３                      〃                        ［３  さ  ＤＥＦ］  キー
４０４                      〃                        ［４  た  ＧＨＩ］  キー
４０５                      〃                        ［５  な  ＪＫＬ］  キー
４０６                      〃                        ［６  は  ＭＮＯ］  キー
４０７                      〃                        ［７  ま  ＰＱＲＳ］キー
４０８                      〃                        ［８  や  ＴＵＶ］  キー
４０９                      〃                        ［９  ら  ＷＸＹＺ］キー
４１０                      〃                        ［０  わ］          キー
４１１                      〃                        制御キー［＊］      キー
４１２                      〃                        制御キー［＃″−ｏ］キー
【図１】
2006081137.tif 000003
【図２】
2006081137.tif 000004
【図３】
2006081137.tif 000005
【図４】
2006081137.tif 000006
【図５】
2006081137.tif 000007
【図６】
2006081137.tif 000008